(57)【要約】【課題】  従来は記録媒体の記録信号の再生動作とは非連動でＵＲＬアドレス情報から取得した画像を再生することや、ユーザ自身が最新の情報アドレスを記録し直すことなどができず、利用価値が十分であるとはいえない。【解決手段】  ＣＰＵ３２は再生画像フレーム数管理器３６から入力されたフレームナンバーを取得し、また再生中の画面を一時停止し、その停止された画像にユーザからカーソルを位置合わせしてもらい、その位置情報をカーソル位置管理器３７から取得して、画面のどの場所かを特定し、特定したそのカーソル位置からオブジェクトナンバーを取得する。サイド情報フォーマット器３９は、ＣＰＵ３２からの上記の画像フレーム数で特定したイン点、アウト点情報、カーソル位置で特定した画面位置情報をもとに、入力ＷＷＷ情報を書き込んだサイド情報フォーマットを作成し、付加情報データとして記録する。【選択図】            図８
2004220778.tif 000002
【特許請求の範囲】
【請求項１】
入力されたコンテンツの画像情報を復号してその画像情報による画像を表示する表示手段と、
前記表示手段により表示される前記コンテンツの画像情報による画像の所定の部分にリンクして再生されるべき情報を得るための付加情報を、前記コンテンツの画像情報による画像の前記所定の部分と対応付けて、前記コンテンツの画像情報と共に所定のフォーマットで記録媒体に記録する記録手段と、
を有することを特徴とする情報記録装置。
【請求項２】
コンテンツの画像情報が記録されている記録媒体の記録情報を読み取る読み取り手段と、
前記読み取り手段により読み取られた前記コンテンツの画像情報を復号してその画像情報による画像を表示する表示手段と、
前記表示手段により表示される前記コンテンツの画像情報による画像の所定の部分にリンクして再生されるべき情報を得るための付加情報を、前記コンテンツの画像情報による画像の前記所定の部分と対応付けて、所定のフォーマットで前記記録媒体に記録する記録手段と、
を有することを特徴とする情報記録装置。
【発明の詳細な説明】
【技術分野】
【０００１】
本発明は情報記録装置に係り、特にコンテンツ情報をそれに関連するＵＲＬなどのアドレス情報と共に記録媒体に記録する情報記録装置に関する。
【背景技術】
【０００２】
通常のテレビ番組の視聴とインターネット情報とを関連付けて双方を連動動作させる装置が従来より知られている（特開平１０−１７４００７号公報）。この従来装置では、テレビジョン放送により送られてくるオブジェクトと、テレビジョン放送以外のアクセス可能な手段から得られるオブジェクトとの関連処理を行うために、チューナ、ＶＢＩデコーダの受信手段でテレビジョン信号の垂直帰線消去期間（ＶＢＩ）に多重されているインターネットのコンテンツが存在するＵＲＬ（Universal Resource Locater）のアドレスを自動的にアクセスさせるための自動アクセスコマンドを含むオブジェクトデータを取り込み、中央処理装置（ＣＰＵ）、モデムの通信手段で予め設定登録されているインターネットのサービスプロバイダへ自動的にダイヤリングしてインターネットに接続し、インターネットのサーバーをアクセスしてインターネット情報（別のオブジェクトデータ）を取り込み、双方のオブジェクトデータを関連付けた連動動作を実行する。
【０００３】
また、ＤＶＤ（Digital Versatile Disk）の映像情報再生中に、あるシーンでウェブ（Ｗｅｂ）サイトにアクセスして、そのシーンに関連する情報を取得できるようにした情報再生装置も従来知られている（特開２０００−２２４５４８公報）。
【０００４】
この従来の情報再生装置では、映像情報を再生する情報再生手段と、映像情報のシーン毎に関連付けられたキーワードを所定の記憶媒体より取得する取得手段と、情報再生手段により映像情報が再生される中でシーン毎に関連付けられたキーワードを記憶媒体から読み出す抽出手段と、抽出されたキーワードの中からユーザにより任意に指定されたキーワードを用いてウェブサイトを検索する検索手段とより構成され、キーワードを用いてウェブサイトを検索することにより、媒体制作後にできたウェブサイトにもアクセスできるようにしたものである。
【発明の開示】
【発明が解決しようとする課題】
【０００５】
しかしながら、特開平１０−１７４００７号公報及び特開２０００−２２４５４８公報各記載の従来装置では、ユーザが記録メディアに番組データを記録した後に、その番組に関する説明情報などに関する情報の記述されているホームページのＵＲＬアドレス情報などを用いて再生動作とは非連動で再生することや、ユーザ自身がその最新の情報アドレスを記録し直すことや、ユーザが特定のシーンやオブジェクトもしくは画面の一部に対してその情報アドレスを記録することができず、ユーザ及びコンテンツ情報作成プロバイダにとって利用価値が十分であるとはいえない。
【０００６】
本発明は以上の点に鑑みなされたもので、ユーザ及びコンテンツ情報作成プロバイダにとって利用価値を向上し得る情報記録装置を提供することを目的とする。
【課題を解決するための手段】
【０００７】
上記の目的を達成するため、本発明は下記の情報記録装置を提供するものである。
（１）  入力されたコンテンツの画像情報を復号してその画像情報による画像を表示する表示手段と、
前記表示手段により表示される前記コンテンツの画像情報による画像の所定の部分にリンクして再生されるべき情報を得るための付加情報を、前記コンテンツの画像情報による画像の前記所定の部分と対応付けて、前記コンテンツの画像情報と共に所定のフォーマットで記録媒体に記録する記録手段と、
を有することを特徴とする情報記録装置。
（２）  コンテンツの画像情報が記録されている記録媒体の記録情報を読み取る読み取り手段と、
前記読み取り手段により読み取られた前記コンテンツの画像情報を復号してその画像情報による画像を表示する表示手段と、
前記表示手段により表示される前記コンテンツの画像情報による画像の所定の部分にリンクして再生されるべき情報を得るための付加情報を、前記コンテンツの画像情報による画像の前記所定の部分と対応付けて、所定のフォーマットで前記記録媒体に記録する記録手段と、
を有することを特徴とする情報記録装置。
【発明の効果】
【０００８】
以上説明したように、本発明によれば、記録媒体に記録されているコンテンツの画像情報による画像の所定の部分と対応付けて、コンテンツの画像情報による画像の所定の部分にリンクして再生されるべき情報を得るための付加情報を所定のフォーマットで記録媒体に記録することにより、付加情報を記録し直すことや、ユーザが記録媒体から再生したコンテンツの画像情報による画像の所定の部分を指定して、例えば指定した部分画像に関する説明情報の画像が得られる付加情報を記録することができる。
【０００９】
このようにして記録した記録媒体の再生においては、記録媒体に記録されているコンテンツの画像情報の再生動作とは非連動で、付加情報に基づき、コンテンツの画像情報による画像の所定の部分にリンクして再生されるべき情報を再生することが可能となる。
【００１０】
従って、本発明を用いれば、ユーザ及びコンテンツ情報作成プロバイダにとって利用価値の向上、便利性を向上させるシステムを構築することが可能となる。
【発明を実施するための最良の形態】
【００１１】
次に、本発明の各実施の形態について図面と共に説明する。図１は本発明の情報記録装置に関連する情報再生装置の一参考例のブロック図を示す。同図において、記録媒体１０には、コンテンツの情報信号がＭＰＥＧ（Moving Picture Experts Group）方式に従い圧縮符号化されてディジタル信号の形態で記録されているものとする。また、記録媒体１０にはコンテンツの属性や説明を構造化して記録されているサイド情報（付加情報）が記録されている。
【００１２】
このサイド情報は図２に示すように、ＳＩＤＥ．ｉｆｏというファイルネームで図３のような構造で記述されている（この構造の詳細は後述する）。また、このサイド情報には、プログラム単位の情報、そのプログラムを所定の時間区間毎に区切った単位（インデックス）毎の情報、画像の所定の部分（例えば、オブジェクト）毎の情報が記述されている。それぞれには少なくともその情報に対応するコンテンツ説明の情報が記述されているＵＲＬアドレスが記録されている。例えば、書き込み可能な記録媒体１０の記録ディジタル信号は、データ読み取り器１１で読み取られる。また、中央処理装置（ＣＰＵ）１２は、この情報再生装置を統括的に制御する。
【００１３】
次に、記録媒体に記録する情報のフォーマットについて図２〜図６、表１〜表４を用いて詳細に説明する。記録する情報にはオーディオやビデオのプログラムに関する情報データとサイド情報（付加情報）データが存在する。情報データは図２に示すように、「ＲＯＯＴ」の下に「ＰＲＯＧＲＡＭ」という名前のフォルダを作成し、その下に「ＰＲ０」から「ＰＲｎ」というファイルネームで記録する。ＰＲはプログラムを示しｎ本のプログラムを記述できる。ＰＲのファイルはＭＰＥＧストリームそのものである。また、プログラムはユーザが一度に記録する単位（例えば２時間ものの映画番組）である。
【００１４】
また、同様に「ＳＩＤＥ．ｉｆｏ」というファイルネームでサイド情報（付加情報）を記録する。ＳＩＤＥ．ｉｆｏのフォーマットは図３に示すように、階層構造をもっている。一番上位にＴＯＴＡＬ＿ＭＡＮＡＧＥＲ＿ＩＦＯが定義され、その中にはＧＥＮＥＲＡＬ＿ＩＦＯとＣＮＴＮＴ＿ＩＦＯがある。ＧＥＮＥＲＡＬ＿ＩＦＯはこの情報群全体に関するパラメータが記述され、その詳細は表１に示したようなシンタックス（ＳＹＮＴＡＸ）構造になっている。
【００１５】
【表１】
2004220778.tif 000003
表１中、「Ｓｙｓｔｅｍ  ＩＤ」は、このフォーマットで記述された情報体であることを示すＩＤである。「Ｖｅｒｓｉｏｎ」はバージョンナンバ−を記述する。「Ｃｈａｒａｃｔｅｒ  Ｓｅｔ」は後述するプログラムのテキストインフォメーションを記述しているテキストコードを記述するものである。「Ｎｕｍ  ｏｆ    ＣＮＴＮＴ＿ＩＦＯ」は後述するＰＲ＿ＩＦＯの数である。「Ｓｔａｒｔ  Ａｄｒｓ  ｏｆ  ＣＮＴＮＴ＿ＩＦＯ」はＰＲ＿ＩＦＯ＿０の先頭アドレスを記述するものである。
【００１６】
次に、図３に示したＣＮＴＮＴ＿ＩＦＯは、プログラム毎の情報としてＰＲ＿ＩＦＯ＿０からＰＲ＿ＩＦＯ＿ｎまでが記述されている。ＰＲ＿ＩＦＯは、図４に示すように、ＰＲＯＧ＿ＩＦＯとＩＤＸ＿ＩＦＯとから構成されている。ＰＲＯＧ＿ＩＦＯの詳細は表２のようになっている。
【００１７】
【表２】
2004220778.tif 000004
表２中、「Ｅｎｄ  Ａｄｒｓ  ｏｆ  ＰＲ＿ＩＦＯ」は、ＰＲ＿ＩＦＯの終了アドレスである。「ＰＲ  ｎｕｍｂｅｒ」は、自分自身のプログラムナンバーである。「Ｐｌａｙｂａｃｋ  Ｔｉｍｅ」は、そのプログラムの再生時間である。「Ｎｕｍ  ｏｆ  ＩＮＤＥＸ」は、そのプログラム中をさらにいくつかのシーンに分けたインデックス（ＩＮＤＥＸ）の数である。
【００１８】
「Ｒｅｃ  Ｄａｔｅ」は、そのプログラムを記録した日付、「Ｒｅｃ  Ｔｉｍｅ」は時刻である。「ＰＲ  ｔｅｘｔ  ｉｎｆｏｒｍａｔｉｏｎ  ｓｉｚｅ」は、後に続くプログラムに簡単な説明を付けるときのテキストインフォメーションのバイト数である。「ＰＲ  ｔｅｘｔ  ｉｎｆｏｒｍａｔｉｏｎ」は、テキストインフォメーション情報である。「Ｌｉｎｋ  ｉｎｆｏｒｍａｔｉｏｎ  ｓｉｚｅ」は、本発明のこのプログラムに関するコンテンツ情報を記述したサイトのＵＲＬアドレスを記述する情報のバイト数、「Ｌｉｎｋ  ｉｎｆｏｒｍａｔｉｏｎ」はそのＵＲＬアドレス情報である。
【００１９】
また、「Ｃｏｎｔｅｎｔ  ｎｉｂｂｌｅ」はプログラムのジャンル情報である。「Ｖ＿ＡＴＲ」はビデオの画素サイズやビットレート、圧縮パラメータ関連の情報である。「Ａ＿ＡＴＲ」はオーディオに関するビットレート、チャンネル数などの情報である。
【００２０】
ここでのサイド情報は、プログラムに一つのＵＲＬアドレス情報を記述するようなフォーマットであるが、上記インデックスに一つのＵＲＬアドレス情報を記述するようにフォーマットの階層をもう一つ作成してもよい。また、画面の部分に対応するＵＲＬアドレスを記述するように、さらにもう一つ階層を作成してもよい。その場合には、例えば、図５に示すように画面を１６分割して、各分割領域に一つのＵＲＬアドレスを割り当てることで、１画面に対して１６種類のＵＲＬアドレスを記述できるようにし、任意の分割領域にカーソルを持っていったときに、そのカーソル位置の分割領域に割り当てたＵＲＬアドレスを指定することができる。
【００２１】
または、図６に示すように画像の意味のあるオブジェクトに対してそのオブジェクトの輪郭を抽出して、オブジェクトのエリアを設定し、そのオブジェクト毎に数字をリンクさせて、そのオブジェクトナンバーに対してＵＲＬアドレス情報を記述できるようにしてもよい。例えば、図６における背景４１を”１”、ドーム４２を”２”、車４３を”３”、人４４を”４”というようにオブジェクトにオブジェクトナンバーをリンクする。そして、そのオブジェクトナンバーに対してＵＲＬアドレス情報を記述する。
【００２２】
このような、インデックスとオブジェクトにＵＲＬアドレス情報を記述するようにしたフォーマットの階層構造の例は図４に示すようになる。図３のＰＲ＿ＩＦＯは、図４に示すように、ＰＲＯＧ＿ＩＦＯとＩＤＸ＿ＩＦＯとから構成されており、ＩＤＸ＿ＩＦＯは更にＩＮＤＥＸ＿ＩＦＯとＯＢＪＥＣＴ＿ＩＦＯからなる階層的構造とされている。ＩＮＤＥＸ＿ＩＦＯは表３に示すようなシンタックス構造となっている。
【００２３】
【表３】
2004220778.tif 000005
表３中、「Ｅｎｄ  Ａｄｒｓ  ｏｆ  ＩＮＤＥＸ＿ＩＦＯ」は、このＩＮＤＥＸ＿ＩＦＯの終了アドレスである。「ＩＮＤＥＸ  ｎｕｍｂｅｒ」は、ＰＲ＿ＩＦＯ内のＩＮＤＥＸの通しナンバー（インデックスナンバー）である。「Ｐｌａｙｂａｃｋ  Ｔｉｍｅ」は、インデックスの再生時間である。「Ｓｔａｒｔ  ｆｒａｍｅ  ｏｆ  ＩＮＤＥＸ」は、インデックスのスタートフレームナンバーである。「Ｅｎｄ  ｆｒａｍｅ  ｏｆ  ＩＮＤＥＸ」は、インデックスのエンドフレームナンバーである。「Ｌｉｎｋ  ｉｎｆｏｒｍａｔｉｏｎ  ｓｉｚｅ」は、本発明のこのプログラムに関するコンテンツ情報を記述したサイトのＵＲＬアドレスを記述する情報のバイト数、「Ｌｉｎｋ  ｉｎｆｏｒｍａｔｉｏｎ」は、そのＵＲＬアドレス情報である。
【００２４】
また、ＯＢＪＥＣＴ＿ＩＦＯは表４に示すシンタックス構造とされている。
【００２５】
【表４】
2004220778.tif 000006
表４中、「Ｅｎｄ  Ａｄｒｓ  ｏｆ  ＯＢＪＥＣＴ＿ＩＦＯ」は、ＯＢＪＥＣＴ＿ＩＦＯの終了アドレスである。「ＯＢＪＥＣＴ  ｎｕｍｂｅｒ」は、オブジェクトのナンバーである。「ｆｒａｍｅ  ｎｕｍｂｅｒ  ｏｆ  ＯＢＪＥＣＴ」は、オブジェクトの画像の存在するフレームナンバーである。「Ｌｉｎｋ  ｉｎｆｏｒｍａｔｉｏｎ  ｓｉｚｅ」は、本発明のこのプログラムに関するコンテンツ情報を記述したサイトのＵＲＬアドレスを記述する情報のバイト数、「Ｌｉｎｋ  ｉｎｆｏｒｍａｔｉｏｎ」は、そのＵＲＬアドレス情報である。
【００２６】
ここで設定したオブジェクト情報は、１フレーム内の画像の位置で設定するので、時間的にそのフレームから始まり、そのフレームの存在するインデックスの最後のフレームまでの間で、指定した図５のような１６個のエリア、もしくは図６のようなオブジェクトがＬｉｎｋ  ｉｎｆｏｒｍａｔｉｏｎの対象とするエリアとして有効とする。
【００２７】
次に、この情報再生装置の参考例の動作について図７のフローチャート等を参照して説明する。いま、ＣＰＵ１２に再生プログラムナンバーを指示すると（図７のステップ１０１）、データ読み取り器１１により記録媒体１０の再生が開始され、サイド情報が読み取られてサイド情報解析器１４に供給されると共に、ユーザの指定したプログラムナンバーのプログラムに対応するオーディオやビデオの情報データが記録媒体１０からデータ読み取り器１１によって読み取られてＭＰＥＧデコーダ２０に供給されて復号される。
【００２８】
ＭＰＥＧデコーダ２０によって復号されたオーディオやビデオの情報データは、画像レイアウト処理器１８に入力されて所定の表示フォーマットに変換された後、表示器１９に供給される。表示器１９は、そのプログラムのオーディオやビデオを表示再生する（図７のステップ１０２）。また、ＭＰＥＧデコーダ２０から出力されるデータは、再生画像フレーム数管理器２１にも供給され、ここで現在再生中の画像のプログラム開始からのフレーム数が管理される。
【００２９】
ユーザは表示器１９によって表示される再生画像を見て、ＷＷＷ情報を再生する場合、プログラムに固有のＷＷＷ情報を再生するか、インデックスに固有のＷＷＷ情報を再生するか、オブジェクトに固有のＷＷＷ情報を再生するかを決定してＣＰＵ１２に指定する（図７のステップ１０３、１０４、１０５、１０６）。また、ＷＷＷ情報を再生しない場合は、そのまま通常再生が行われる（図７のステップ１０７）。
【００３０】
プログラムに固有のＷＷＷ情報を再生する場合は、ＣＰＵ１２は再生中のプログラムのプログラムナンバーを取得し（図７のステップ１０８）、更にサイド情報解析器１４で解析された再生中のプログラムのサイド情報中の表２に示したＰＲＯＧ＿ＩＦＯテーブルのＷＷＷ情報（ＵＲＬアドレス情報）を取得する（図７のステップ１０９）。
【００３１】
そして、ＣＰＵ１２は入力されたＵＲＬアドレス情報をネットワーク処理器１５に供給する。ネットワーク処理器１５は入力されたＵＲＬアドレス情報が示す外部の情報サイト１６に、インターネットを介して接続する。これにより、外部情報サイト１６から、例えばＨＴＭＬ（Hyper Text Markup Language）という言語で記述されたコンテンツ説明情報がネットワーク処理器１５に転送されると、ネットワーク処理器１５はそのコンテンツ説明情報をＨＴＭＬ処理器１７に転送する。
【００３２】
ＨＴＭＬ処理器１７は入力されたコンテンツ説明情報についてＨＴＭＬの文法解析を行い、得られたデータを画像データに変換し、その画像データを画像レイアウト処理器１８に供給する。画像レイアウト処理器１８では、ユーザに分かり易い予め決められたプログラム情報表示フォーマットに、伝送されたＨＴＭＬ情報を処理して得られたコンテンツ説明情報画像データをはめ込み、レイアウトして表示器１９へ画像データとして出力して表示させる（図７のステップ１１０）。
【００３３】
また、インデックスに固有のＷＷＷ情報を再生する場合は（図７のステップ１０５）、ＣＰＵ１２は再生画像フレーム数管理器２１からフレームナンバーを取得し（図７のステップ１１１）、また、サイド情報解析器１４からの表３に示したＩＮＤＥＸ＿ＩＦＯテーブル中のインデックスナンバーを取得し（図７のステップ１１２）、これらに基づき得られるＩＮＤＥＸ＿ＩＦＯテーブル内のＷＷＷアドレス情報（ＵＲＬアドレス情報）を取得する（図７のステップ１１３）。
【００３４】
そして、ＣＰＵ１２は入力されたＵＲＬアドレス情報に基づき、前述したようにネットワーク処理器１５を介してそのＵＲＬアドレス情報が示す外部の情報サイト１６にインターネットを介して接続し、その外部情報サイト１６からのコンテンツ説明情報をＨＴＭＬ処理器１７で画像データに変換し、その画像データを画像レイアウト処理器１８に供給する。画像レイアウト処理器１８では、ＭＰＥＧデコーダ２０により再生されたプログラムの画像データに、外部情報サイト１６から伝送されたＨＴＭＬ情報を処理して得られた画像データをはめ込み、レイアウトして表示器１９へ画像データとして出力して表示させる（図７のステップ１１０）。
【００３５】
また、プログラム及びインデックスのいずれのＷＷＷ情報も再生しないときには、オブジェクトに固有のＷＷＷ情報を取得するモードに入り（図７のステップ１０６）、ＣＰＵ１２が再生画像フレーム数管理器２１からフレームナンバーを取得する（図７のステップ１１４）。ここで、図１のカーソル位置管理器２２は、画像レイアウト処理器１８にてレイアウトされて表示器１９にて表示されている画像に、ユーザが可動できるカーソルを表示する。そのカーソル位置情報は画像レイアウト処理器１８を介してカーソル位置管理器２２に供給される。
【００３６】
そこで、ＣＰＵ１２はカーソル位置管理器２２から現在の画像中の、ユーザが指定したカーソル位置を取得し（図７のステップ１１５）、そのカーソル位置とフレームナンバーと再生サイド情報とから得られる表４に示したＯＢＪＥＣＴ＿ＩＦＯテーブル中のオブジェクトナンバーを取得し（図７のステップ１１６）、更にＯＢＪＥＣＴ＿ＩＦＯテーブル内のＷＷＷアドレス情報（ＵＲＬアドレス情報）を取得する（図７のステップ１１７）。
【００３７】
以後、上記と同様にしてこのＵＲＬアドレス情報に基づく外部情報サイト１６から提供される情報の画像が、ＭＰＥＧデコーダ２０により再生されたプログラムの画像データにはめ込まれ、レイアウトされて表示器１９にて表示される（図７のステップ１１０）。
【００３８】
次に、本発明の情報記録装置について説明する。図８は本発明になる情報記録装置の一実施の形態のブロック図を示す。この実施の形態の情報記録装置は、上記情報再生装置によって再生中に、ユーザがそのプログラムに、もしくは特定のプログラム単位の情報、そのプログラムを所定の時間区間毎に区切った単位毎の情報、画像の所定の部分毎の情報を記録更新する場合の記録装置である。
【００３９】
図８において、ＣＰＵ３２によってユーザの指定したプログラムに対応するオーディオやビデオの情報データが記録媒体３０からデータ読み取り書き込み器３１によって読み取られてＭＰＥＧデコーダ３３に入力される。記録媒体３０は、書き込み可能な記録媒体である。また、記録媒体３０には再生装置と共に説明したようなフォーマットでコンテンツデータやサイド情報が記録されている。
【００４０】
次に、この実施の形態の動作について、図９のフローチャート等と共に説明する。ＣＰＵ３２にユーザインタフェース３８から再生プログラムナンバーが指定されると再生が開始される（図９のステップ２０１、２０２）。この再生時には、データ読み取り書き込み器３１により記録媒体１０から再生されたサイド情報がサイド情報フォーマット器３９に供給されると共に、ユーザの指定したプログラムナンバーのプログラムに対応するオーディオやビデオの情報データがＭＰＥＧデコーダ３３に供給されて復号される。
【００４１】
ＭＰＥＧデコーダ３３によって復号されたオーディオやビデオの情報データは、画像レイアウト処理器３４へ供給され、ここで所定の表示フォーマットに変換された後、表示器３５に入力されて表示される。表示器３５は、ユーザの指定したプログラムに対応するオーディオの音声を発音し、ビデオの画像を表示する。
【００４２】
一方、ＭＰＥＧデコーダ３３から出力されるデータは、再生画像フレーム数管理器３６にも供給され、ここで、現在再生中の画像のプログラム開始からのフレーム数が管理される。また、カーソル位置管理器３７は、画像レイアウト処理器３４にてレイアウトされて表示器３５にて表示されている画像に、ユーザが可動できるカーソルを表示する。カーソル位置情報は画像レイアウト処理器３４を介してカーソル位置管理器３７に供給される。
【００４３】
ユーザは表示器３５によって表示される再生画像を見ながら、ＷＷＷ情報を記録するかどうか判定し（図９のステップ２０３）、記録しない場合はそのままそのプログラムの通常再生を行わせるが（図９のステップ２０４）、記録する場合は、ユーザが希望するコンテンツ説明情報を記述したサイトのＵＲＬアドレス情報をユーザインタフェース（Ｕ／Ｉ）３８からＣＰＵ３２へ入力する（図９のステップ２０５）。そのアドレス情報は、サイド情報フォーマット器３９に供給される。
【００４４】
続いて、プログラムに固有のＷＷＷ情報（ＵＲＬアドレス情報）を記録するか、インデックスに固有のＷＷＷ情報（ＵＲＬアドレス情報）を記録するか、オブジェクトに固有のＷＷＷ情報（ＵＲＬアドレス情報）を記録するかを決定してＣＰＵ３２に指定する（図９のステップ２０６、２０７、２０８）。
【００４５】
プログラムに固有のＷＷＷ情報（ＵＲＬアドレス情報）を記録する場合は、ＣＰＵ３２は再生する際にユーザに指定されたプログラムナンバーが入力されているので、そのプログラムナンバーをもとに、プログラムを特定する（図９のステップ２０９）。
【００４６】
サイド情報フォーマット器３９ではＣＰＵ３２からの前記プログラム単位の情報を基に、特定したプログラムの前述したサイド情報中の表２に示したＰＲＯＧ＿ＩＦＯテーブルに入力ＷＷＷ情報（ＵＲＬアドレス情報）を書き込んだサイド情報フォーマットを作成し、そのサイド情報を付加情報データとして記録媒体３０にデータ読み取り書き込み器３１を通して記録する（図９のステップ２１０）。
【００４７】
また、プログラムを所定の時間区間毎に区切った単位毎の情報であるインデックスに固有のＷＷＷ情報（ＵＲＬアドレス情報）を記録する場合は（図９のステップ２０７）、ＣＰＵ３２は再生画像フレーム数管理器３６から入力されたフレームナンバーを取得し（図９のステップ２１１）、またユーザにイン点、アウト点に対応する画面でポイント指示信号を入力してもらい、その情報をもとにシーン（インデックス）を特定してインデックスナンバーを得る（図９のステップ２１２）。
【００４８】
サイド情報フォーマット器３９は、ＣＰＵ３２からの上記のフレームナンバー及びインデックスナンバーを基に、前述したサイド情報中の表３に示したＩＮＤＥＸ＿ＩＦＯテーブルに入力ＷＷＷ情報（ＵＲＬアドレス情報）を書き込んだサイド情報フォーマットを作成し、そのサイド情報を付加情報データとして記録媒体３０にデータ読み取り書き込み器３１を通して記録する（図９のステップ２１３）。
【００４９】
また、画像の所定の部分毎の情報であるインデックス固有のＷＷＷ情報（ＵＲＬアドレス情報）を記録する場合は（図９のステップ２０８）、ＣＰＵ３２は再生画像フレーム数管理器３６から入力されたフレームナンバーを取得し（図９のステップ２１４）、また再生中の画面を一時停止し、その停止された画像にユーザからカーソルを位置合わせしてもらい、その位置情報をカーソル位置管理器３７から取得して（図９のステップ２１５）、画面のどの場所かを特定し、特定したそのカーソル位置からオブジェクトナンバーを取得する（図９のステップ２１６）。
【００５０】
サイド情報フォーマット器３９は、ＣＰＵ３２からの上記の画像フレーム数で特定したイン点、アウト点情報、カーソル位置で特定した画面位置情報をもとに、前述したサイド情報中の表４に示したＯＢＪＥＣＴ＿ＩＦＯテーブルに入力ＷＷＷ情報（ＵＲＬアドレス情報）を書き込んだサイド情報フォーマットを作成し、そのサイド情報を付加情報データとして記録媒体３０にデータ読み取り書き込み器３１を通して記録する（図９のステップ２１７）。
【００５１】
このように、情報再生装置の本参考例では、記録媒体に記録されている本編の再生情報と、記録媒体情報以外のアクセス可能な手段から得られるコンテンツ情報とをリンクして表示器に表示してユーザに提供することは勿論のこと、ユーザが記録媒体に番組データ（プログラム）を記録した後に、その番組に関する説明情報などに関する情報の記述されているホームページのＵＲＬアドレス情報などを用いて再生動作とは非連動で（すなわち、プログラム再生中にプログラム再生に関係なくユーザの任意のタイミングで）説明情報の画像を再生することができる。すなわち、例えば、記録媒体から映画番組の画像及び音声情報再生中に、ユーザが任意のシーン中の任意の画像をクリックすると、映画番組とは別にその画像に関する情報を、インターネットを介して接続されたＵＲＬアドレス情報の外部情報サイトから取得して再生することができる。
【００５２】
また、情報記録装置の本実施の形態によれば、ユーザ自身がその最新の情報アドレスを記録し直すことや、ユーザが記録媒体３０から再生したプログラム中の特定のシーンやオブジェクト、もしくは画面の一部を指定して、その説明情報の画像が得られるＵＲＬアドレス情報（ＷＷＷ情報）を記録することができる。
【００５３】
なお、情報記録装置においては、前記プログラム単位の情報、もしくは特定のプログラム単位の情報、若しくはそのプログラムを所定の時間区間毎に区切った単位毎の情報、画像フレーム数で特定したイン点、アウト点情報、カーソル位置で特定した画面位置情報など付加情報の基になる情報と、それらに対応するＵＲＬアドレス情報と、例えば放送から電波にのって、若しくは通信ネットワークからの情報データとが同時に入力される場合がある。
【００５４】
その場合には、図１０のブロック図に示すように、付加情報の基になる情報とＵＲＬアドレス情報はサイド情報フォーマット器３９に供給して、ここでサイド情報フォーマットを作成させ、ＣＰＵ３２からの所定の記録時刻情報などを加味しながら、受信電波から得た又は通信ネットワークから得た情報データとともにデータ読み取り書き込み器５１を通して記録媒体５２へ記録される。
【００５５】
なお、以上の実施の形態では記録媒体に記録されているサイド情報から、ＵＲＬなどのアドレス情報をリンクする例を示したが、本発明はこれに限定されるものではなくサイド情報は放送や通信から直接、伝送されてきてもよい。この場合、送信側からは図１１のフローチャートに従ってサイド情報が送信され、情報再生装置では、図１２及び図１３に示すフローチャートに従って再生が行われる。なお、図１３中、図７と同一処理ステップには同一符号を付し、その説明を省略する。
【００５６】
すなわち、送信側では、サイド情報をパケット化し（図１１のステップ３０１）、そのパケットにヘッダを付与した後（図１１のステップ３０２）、ネットワークへそれらパケット及びヘッダを送信する（図１１のステップ３０１）。
【００５７】
また、情報再生装置では、上記のネットワークへ送信されたサイド情報を受信してヘッダをまず除去し（図１２のステップ４０１）、続いてデータ、すなわちサイド情報を復元し（図１２のステップ４０２）、最後に復元したサイド情報をメモリに格納する（図１２のステップ４０３）。そして、情報再生装置による再生の際には、上記のメモリから読み出したサイド情報のデフォーマット化を行い（図１３のステップ５０１）、以後は図７と共に説明したフローチャートと同様にして再生を行う。
【００５８】
なお、リンク情報は外部サイトのＵＲＬアドレスとして説明したが、これに限定されるものではなく、コンテンツ情報が記述されている情報体の名称、例えば、内部のメモリ、ＨＤＤ、他の記録媒体の識別名やアドレスと、記録対象のファイルネーム、データレジスタ番地など、特定できるものであればなんであってもよい。
【図面の簡単な説明】
【００５９】
【図１】本発明の情報記録装置に関連する情報再生装置の参考例のブロック図である。
【図２】記録媒体上のデータ構成の一例を示す説明図である。
【図３】サイド情報おけるプログラムフォーマット例を示す説明図である。
【図４】サイド情報におけるＩＮＤＥＸやＯＢＪＥＣＴまで含めたフォーマット例を示す説明図である。
【図５】画面分割の一例を示す説明図である。
【図６】画面内オブジェクトの一例を示す説明図である。
【図７】図１の動作説明用フローチャートである。
【図８】本発明の情報記録装置の一実施の形態のブロック図である。
【図９】図８の動作説明用フローチャートである。
【図１０】本発明の情報記録装置の他の実施の形態の要部のブロック図である。
【図１１】サイド情報をネットワークへ送出する場合の説明用フローチャートである。
【図１２】サイド情報を復元する場合の一例のフローチャートである。
【図１３】ネットワークを介して入力されたサイド情報を用いて再生する場合の動作説明用フローチャートである。
【符号の説明】
【００６０】
１０、３０、５２  記録媒体
１１  データ読み取り器
１２、３２  中央処理装置（ＣＰＵ）
１３、３８  ユーザインタフェース
１４  サイド情報解析器
１５  ネットワーク処理器
１６  外部情報サイト
１７  ＨＴＭＬ処理器
１８、３４  画像レイアウト処理器
１９、３５  表示器
２０、３３  ＭＰＥＧデコーダ
２１、３６  再生画像フレーム数管理器
２２、３７  カーソル位置管理器
３１、５１  データ読み取り書き込み器
３９  サイド情報フォーマット器
【図１】
2004220778.tif 000007
【図２】
2004220778.tif 000008
【図３】
2004220778.tif 000009
【図４】
2004220778.tif 000010
【図５】
2004220778.tif 000011
【図６】
2004220778.tif 000012
【図７】
2004220778.tif 000013
【図８】
2004220778.tif 000014
【図９】
2004220778.tif 000015
【図１０】
2004220778.tif 000016
【図１１】
2004220778.tif 000017
【図１２】
2004220778.tif 000018
【図１３】
2004220778.tif 000019